(57)【要約】【課題】パケット網を介した通信処理と電話網を介した通信処理とが切り替えて実行される場合にその切り替え後の通信処理に適した通信条件を適用することができる通信装置、通信プログラム及び通信方法を提供すること。【解決手段】本発明に係る通信装置では、予め選択されたＩＰＦＡＸ通信又はＧ３ＦＡＸ通信の実行に際し、操作表示部への操作入力に応じて通信処理に関する通信条件が設定され、その後に、前記通信条件の設定の際に選択されていなかった他方の通信処理が実行される場合は、ＩＰＦＡＸ通信及びＧ３ＦＡＸ通信ごとに対応して予め設定された既定条件に従って前記通信条件が設定される。【選択図】図２
2014090335.tif 000002
【特許請求の範囲】
【請求項１】
パケット網を介して接続された通信先端末との間で、予め定められた通信プロトコルに従って第１の通信処理を実行する第１の通信制御手段と、
電話網を介して接続された通信先端末との間で、予め定められた通信プロトコルに従って第２の通信処理を実行する第２の通信制御手段と、
前記第１の通信処理及び前記第２の通信処理のうち予め選択された一方の通信処理の実行に際して通信条件を設定する第１の設定手段と、
前記第１の設定手段により前記通信条件が設定された後に前記第１の通信処理及び前記第２の通信処理のうち前記通信条件の設定の際に選択されていなかった他方の通信処理の実行に際して、前記第１の通信処理及び前記第２の通信処理ごとに対応して予め設定された既定条件に従って前記通信条件を設定する第２の設定手段と、
を備えてなる通信装置。
【請求項２】
前記第１の通信処理及び前記第２の通信処理のいずれか一方の通信処理が正常に完了しなかった場合に、他方の通信処理を実行させる再接続手段を更に備えてなり、
前記第２の設定手段が、前記再接続手段により前記他方の通信処理が実行される際に前記既定条件に従って前記通信条件を設定するものである請求項１に記載の通信装置。
【請求項３】
前記第１の通信処理が、ＩＴＵ−Ｔ勧告Ｔ．３８規格に準拠した通信プロトコルに従って実行されるファクシミリ通信処理であり、
前記第２の通信処理が、ＩＴＵ−Ｔ勧告Ｔ．３０規格に準拠した通信プロトコルに従って実行されるファクシミリ通信処理である請求項１又は２に記載の通信装置。
【請求項４】
前記通信条件が、前記ファクシミリ通信処理におけるエラー訂正機能の設定を含み、
前記第１の通信処理に対応する前記既定条件では前記エラー訂正機能の設定がＯＦＦであり、前記第２の通信処理に対応する前記既定条件では前記エラー訂正機能の設定がＯＮである請求項３に記載の通信装置。
【請求項５】
前記通信条件が、ＩＴＵ−Ｔ勧告Ｖ．３４規格に準拠した通信プロトコルに従って通信処理を実行するＶ．３４通信機能の設定を含み、
前記第１の通信処理に対応する前記既定条件では前記Ｖ．３４通信機能の設定がＯＦＦであり、前記第２の通信処理に対応する前記既定条件では前記Ｖ．３４通信機能の設定がＯＮである請求項３又は４に記載の通信装置。
【請求項６】
前記通信条件が、送信端末識別情報に代えて送信端末名称を示す非標準機能信号を前記通信先端末に通知する自社間通信機能の設定を含み、
前記第１の通信処理に対応する前記既定条件では前記自社間通信機能の設定がＯＦＦであり、前記第２の通信処理に対応する前記既定条件では前記自社間通信機能の設定がＯＮである請求項３〜５のいずれかに記載の通信装置。
【請求項７】
前記通信条件が、前記ファクシミリ通信処理で送信する画像データの解像度の設定を含み、
前記第２の通信処理に対応する前記既定条件で定められた前記解像度の設定値が予め設定された低解像度である請求項３〜６のいずれかに記載の通信装置。
【請求項８】
コンピューターに、
パケット網を介して接続された通信先端末との間で、予め定められた通信プロトコルに従って第１の通信処理を実行する第１の通信制御ステップと、
電話網を介して接続された通信先端末との間で、予め定められた通信プロトコルに従って第２の通信処理を実行する第２の通信制御ステップと、
予め選択された一方の前記通信処理の実行に際して通信条件を設定する第１の設定ステップと、
前記第１の設定ステップにより前記通信条件が設定された後に前記通信条件の設定の際に選択されていなかった他方の前記通信処理が実行される場合に、前記第１の通信処理及び前記第２の通信処理ごとに対応して予め設定された既定条件に従って前記通信条件を設定する第２の設定ステップと、
を実行させるための通信プログラム。
【請求項９】
パケット網を介して接続された通信先端末との間で、予め定められた通信プロトコルに従って第１の通信処理を実行する第１の通信制御ステップと、
電話網を介して接続された通信先端末との間で、予め定められた通信プロトコルに従って第２の通信処理を実行する第２の通信制御ステップと、
予め選択された一方の前記通信処理の実行に際して通信条件を設定する第１の設定ステップと、
前記第１の設定ステップにより前記通信条件が設定された後に前記通信条件の設定の際に選択されていなかった他方の前記通信処理が実行される場合に、前記第１の通信処理及び前記第２の通信処理ごとに対応して予め設定された既定条件に従って前記通信条件を設定する第２の設定ステップと、
を実行する通信方法。
【発明の詳細な説明】
【技術分野】
【０００１】
本発明は、パケット網を介した通信処理と電話網を介した通信処理とが実行可能な通信装置に関するものである。
【背景技術】
【０００２】
公衆交換電話網（ＰＳＴＮ）を介してＩＴＵ−Ｔ（国際電気通信連合の電気通信標準化部門）勧告のＴ．３０規格又はＶ．３４規格に準拠した通信プロトコルに従ってファクシミリ通信処理（以下、Ｇ３ＦＡＸ通信と称する）を実行するＧ３ＦＡＸが知られている。
また、インターネットを介してＩＴＵ−Ｔ勧告のＴ．３８規格に準拠した通信プロトコルに従ってファクシミリ通信処理（以下、「ＩＰＦＡＸ通信」と称する）を実行するＩＡＦ（Internet Aware FAX：インターネットファクシミリ装置）が知られている。
さらに、前記Ｇ３ＦＡＸ及び前記ＩＡＦの両方の機能を有するファクシミリ装置が知られている（例えば特許文献１、２参照）。この種のファクシミリ装置では、ユーザーによる通信先端末の宛先入力後、前記ＩＰＦＡＸ通信又は前記Ｇ３ＦＡＸ通信を開始する際に、状況に応じて他方の前記Ｇ３ＦＡＸ通信又は前記ＩＰＦＡＸ通信に切り替わることがある。
【先行技術文献】
【特許文献】
【０００３】
【特許文献１】特開２００５−２２３６９３号公報
【特許文献２】特開２０１２−４９１０号公報
【発明の概要】
【発明が解決しようとする課題】
【０００４】
ところで、前記Ｇ３ＦＡＸ通信又は前記ＩＰＦＡＸ通信に関する通信条件には、前記Ｇ３ＦＡＸ通信のみに適した条件及び前記ＩＰＦＡＸ通信のみに適した条件が含まれる。そのため、前記ＩＰＦＡＸ通信及び前記Ｇ３ＦＡＸ通信が切り替わる場合に、その切り替え前後の前記通信条件が同じであると、切り替え後の前記Ｇ３ＦＡＸ通信又は前記ＩＰＦＡＸ通信が適切な前記通信条件の下で実行されないおそれがある。
従って、本発明の目的は、パケット網を介した通信処理と電話網を介した通信処理とが切り替えて実行される場合にその切り替え後の通信処理に適した通信条件を適用することができる通信装置、通信プログラム及び通信方法を提供することにある。
【課題を解決するための手段】
【０００５】
本発明に係る通信装置は、第１の通信制御手段、第２の通信制御手段、第１の設定手段及び第２の設定手段を備えてなる通信装置である。前記第１の通信制御手段は、パケット網を介して接続された通信先端末との間で、予め定められた通信プロトコルに従って第１の通信処理を実行する。前記第２の通信制御手段は、電話網を介して接続された通信先端末との間で、予め定められた通信プロトコルに従って第２の通信処理を実行する。前記第１の設定手段は、前記第１の通信処理及び前記第２の通信処理のうち予め選択された一方の通信処理の実行に際して通信条件を設定する。前記第２の設定手段は、前記第１の設定手段により前記通信条件が設定された後に前記第１の通信処理及び前記第２の通信処理のうち前記通信条件の設定の際に選択されていなかった他方の通信処理の実行に際して、前記第１の通信処理及び前記第２の通信処理ごとに対応して予め設定された既定条件に従って前記通信条件を設定する。
また、本発明に係る通信プログラムは、コンピューターに第１の通信制御ステップ、第２の通信制御ステップ、第１の設定ステップ及び第２の設定ステップを実行させるための通信プログラムである。前記第１の通信制御ステップは、パケット網を介して接続された通信先端末との間で、予め定められた通信プロトコルに従って第１の通信処理を実行する。前記第２の通信制御ステップは、電話網を介して接続された通信先端末との間で、予め定められた通信プロトコルに従って第２の通信処理を実行する。前記第１の設定ステップは、前記第１の通信処理及び前記第２の通信処理のうち予め選択された一方の通信処理の実行に際して通信条件を設定する。前記第２の設定ステップは、前記第１の設定ステップにより前記通信条件が設定された後に前記第１の通信処理及び前記第２の通信処理のうち前記通信条件の設定の際に選択されていなかった他方の通信処理の実行に際して、前記第１の通信処理及び前記第２の通信処理ごとに対応して予め設定された既定条件に従って前記通信条件を設定する。
さらに、本発明に係る通信方法は、コンピューターに第１の通信制御ステップ、第２の通信制御ステップ、第１の設定ステップ及び第２の設定ステップを実行する通信方法である。前記第１の通信制御ステップは、パケット網を介して接続された通信先端末との間で、予め定められた通信プロトコルに従って第１の通信処理を実行する。前記第２の通信制御ステップは、電話網を介して接続された通信先端末との間で、予め定められた通信プロトコルに従って第２の通信処理を実行する。前記第１の設定ステップは、前記第１の通信処理及び前記第２の通信処理のうち予め選択された一方の通信処理の実行に際して通信条件を設定する。前記第２の設定ステップは、前記第１の設定ステップにより前記通信条件が設定された後に前記第１の通信処理及び前記第２の通信処理のうち前記通信条件の設定の際に選択されていなかった他方の通信処理の実行に際して、前記第１の通信処理及び前記第２の通信処理ごとに対応して予め設定された既定条件に従って前記通信条件を設定する。
【発明の効果】
【０００６】
本発明によれば、パケット網を介した通信処理と電話網を介した通信処理とが切り替えて実行される場合にその切り替え後の通信処理に適した通信条件を適用することができる。
【図面の簡単な説明】
【０００７】
【図１】本発明の実施形態に係るＭＦＰが使用される通信システムの概略構成を示すブロック図。
【図２】通信条件設定処理の一例を説明するためのフローチャート。
【図３】通信条件設定情報の一例を説明するための図。
【図４】通信条件変更処理の一例を説明するためのフローチャート。
【図５】通信条件変更処理の一例を説明するためのフローチャート。
【発明を実施するための形態】
【０００８】
以下添付図面を参照しながら、本発明の実施の形態について説明し、本発明の理解に供する。なお、以下の実施の形態は、本発明を具体化した一例であって、本発明の技術的範囲を限定する性格のものではない。
【０００９】
［通信システム１］
まず、図１を参照しつつ、本発明の実施の形態に係るＭＦＰ１０が使用される通信システム１の概略構成について説明する。前記ＭＦＰ１０は、少なくともファクシミリ通信処理を実行するファクシミリ機能を有すると共に、コピー機能、プリント機能及びスキャン機能などの他の機能を有する複合機である。
図１に示すように、前記通信システム１において、前記ＭＦＰ１０は、インターネット１００（パケット網の一例）を介してＩＡＦ２０及びＳＩＰサーバー３０に接続されている。また、前記ＭＦＰ１０は、電話網２００を介してＧ３ＦＡＸ４０に接続されている。なお、前記インターネット１００はパケット網の一例に過ぎず、デジタルデータのリアルタイム通信に使用されるＬＡＮ及びイントラネットなどの他のパケット網であってもよい。
【００１０】
［ＩＡＦ２０］
前記ＩＡＦ２０は、前記インターネット１００を介して接続された通信先端末との間で、ＩＴＵ−Ｔ勧告のＴ．３８規格に準拠した通信プロトコルに従ってファクシミリ通信処理を実行するインターネットファクシミリ装置（Internet Aware FAX）である。以下、前記インターネット１００を介して行われるファクシミリ通信処理を「ＩＰＦＡＸ通信」と称する。
前記ＩＡＦ２０は、前記ＩＰＦＡＸ通理において、ＩＴＵ−Ｔ勧告のＴ．３０規格に準拠した通信プロトコルで使用される制御信号をデジタルデータで表したパケットを送受信する。また、前記ＩＡＦ２０は、ＲＦＣ３２６１で定義されたＳＩＰ（Session Initiation Protocol）に従ってセッションを確立させる通信制御部を有している。なお、前記ＩＡＦ２０は、ＩＴＵ−Ｔ勧告のＨ．３２３規格に従ってセッションを確立させるものであってもよい。
【００１１】
［ＳＩＰサーバー３０］
前記ＳＩＰサーバー３０は、前記インターネット１００を介してＲＦＣ３２６１で定義されたＳＩＰ（Session Initiation Protocol）に従って実行される通信処理を中継するサーバーである。具体的に、前記ＳＩＰサーバー３０は、前記ＭＦＰ１０及び前記ＩＡＦ２０などの通信先端末の電話番号（ＦＡＸ番号）及びＩＰアドレスを対応付けた対応情報を記憶しており、前記インターネット１００上における通信処理を中継する。
より具体的に、例えば前記ＭＦＰ１０から前記ＩＡＦ２０の電話番号を宛先としてＳＩＰに基づく「ＩＮＶＩＴＥ」のメッセージが送信されると、前記ＳＩＰサーバー３０は前記電話番号に対応するＩＰアドレスを前記対応情報から抽出する。続いて、前記ＳＩＰサーバー３０は、抽出した前記ＩＰアドレスを宛先として、前記ＭＦＰ１０から送信されたＳＩＰに基づく「ＩＮＶＩＴＥ」のメッセージを転送する。これに対し、前記ＩＡＦ２０がＳＩＰに基づく「２００  ＯＫ」のメッセージを前記ＳＩＰサーバー３０に返信すると、前記ＳＩＰサーバー３０は、ＳＩＰに基づく「２００  ＯＫ」のメッセージを前記ＭＦＰ１０に転送する。以上の手順により前記ＭＦＰ１０と前記ＩＡＦ２０との間のセッションが確立する。
なお、前記インターネット１００には、前記ＳＩＰサーバー３０と共に、又は前記ＳＩＰサーバー３０に代えて、ＩＴＵ−Ｔ勧告のＨ．３２３規格に従って実行される通信処理を中継するゲートキーパーが接続される構成も考えられる。この場合、前記ゲートキーパーは、前記ＳＩＰサーバー３０と同様に前記通信先端末の電話番号及びＩＰアドレスの対応付けを管理し、Ｈ．３２３規格に従って実行される通信処理を中継する。
【００１２】
［Ｇ３ＦＡＸ４０］
前記Ｇ３ＦＡＸ４０は、前記電話網２００を介して接続された通信先端末との間で、ＩＴＵ−Ｔ勧告のＴ．３０規格に準拠した通信プロトコルに従ってファクシミリ通信処理を実行するＧ３タイプのファクシミリ装置である。以下、前記電話網２００を介して行われるファクシミリ通信処理を「Ｇ３ＦＡＸ通信」と称する。
前記Ｇ３ＦＡＸ４０は、前記Ｇ３ＦＡＸ通信において、Ｔ．３０規格に従った制御信号をアナログデータで表したモデム信号を送受信する。また、前記Ｇ３ＦＡＸ４０は、Ｖ．３４規格に従って前記Ｇ３ＦＡＸ通信を高速で行うＶ．３４通信機能も有している。前記Ｖ．３４規格は全二重通信を可能とする全二重モデムの規格であって、最大３３．６ｋｂｐｓの通信速度が実現可能である。
【００１３】
［ＭＦＰ１０］
そして、前記ＭＦＰ１０は、メイン制御部１１、操作表示部１２、画像読取部１３、画像メモリー１４，画像形成部１５、ＮＩＣ１６１、ＰＳＴＮモデム１６２及び通信制御部１７などを備えた画像形成装置である。前記ＭＦＰ１０に設けられた前記構成要素各々は内部バス１８によって接続されている。
なお、前記ＭＦＰ１０は本発明に係る通信装置の一例に過ぎない。例えば、本発明は、通信機能を有するパーソナルコンピューター、タブレット端末、音声再生装置、テレビジョン受像器、ＩＰ電話機、及び前記ＩＡＦ２０などの通信装置にも適用可能である。
【００１４】
前記メイン制御部１１は、ＣＰＵ、ＲＯＭ、ＲＡＭ及びＥＥＰＲＯＭなどを有している。前記メイン制御部１１は、前記ＲＯＭに格納された制御プログラムに従った処理を前記ＣＰＵで実行することにより当該ＭＦＰ１０を統括的に制御する。例えば、前記メイン制御部１１は、前記画像読取部１３により原稿から画像データを読み取る画像読取処理を実行するスキャン機能、及び、入力された画像データを前記画像形成部１５により印刷する画像形成処理を実行するプリント機能などを具現する。なお、前記メイン制御部１１は集積回路（ＡＳＩＣ）などの電子回路で構成されたものであってもよい。
【００１５】
前記操作表示部１２は、前記メイン制御部１１からの制御指示に応じて各種の情報を表示し、ユーザーによる入力操作に応じて操作信号を前記メイン制御部１１に入力するタッチパネルなどを有している。
前記画像読取部１３は、原稿に光を照射したときの反射光をＣＣＤ等の撮像素子（光電変換素子）によって読み取る画像読取処理を実行する画像読取手段である。前記画像読取部１３で読み取られた画像データは前記画像メモリー１４に記憶される。
前記画像メモリー１４は、前記画像読取部１３で読み取られた画像データ及び前記通信制御部１７により受信された画像データなどを記憶するハードディスク又は半導体メモリーなどの不揮発性メモリーである。例えば、前記画像メモリー１４に記憶された画像データは、前記通信制御部１７によって実行されるファクシミリ通信処理によって送信される。
前記画像形成部１５は、感光体ドラム、帯電装置、露光装置、現像装置、転写装置及び定着装置などを備えた電子写真方式の画像形成手段である。例えば、前記画像形成部１５は、前記通信制御部１７によって実行されるファクシミリ通信処理によって受信した画像データに基づいて画像を形成する画像形成処理を実行する。
【００１６】
前記ＮＩＣ１６１は、前記ＭＦＰ１０を前記インターネット１００に接続し、前記インターネット１００を介してＴＣＰ／ＩＰ（Transmission Control Protocol／Internet Protocol）に従ってデータ通信を実行するためのネットワークインターフェースである。前記ＮＩＣ１６１は、前記通信制御部１７から入力されるデジタルデータをパケットとして外部に送信し、外部から受信したパケットを前記通信制御部１７に入力する。特に、前記ＮＩＣ１６１は、前記ＴＣＰのエラー訂正機能を用いて通信処理を実行するものである。
前記ＰＳＴＮモデム１６２は、前記ＭＦＰ１０を前記電話網２００に接続し、前記電話網２００を介してアナログ信号（モデム信号）を送受信するためのモデム装置である。具体的に、前記ＰＳＴＮモデム１６２は、前記通信制御部１７から入力されるデジタルデータをモデム信号に変換して外部に送信し、外部から受信したモデム信号をデジタルデータに変換して前記通信制御部１７に入力する。また、前記ＰＳＴＮモデム１６２は、Ｖ．３４規格に従って前記Ｇ３ＦＡＸ通信を高速で行う前記Ｖ．３４通信機能を有している。
【００１７】
前記通信制御部１７は、ＣＰＵ１７１、ＲＯＭ１７２、ＲＡＭ１７３及びＥＥＰＲＯＭ１７４などを備えている。前記通信制御部１７は、前記ＲＯＭ１７２に記憶された各種の制御プログラムを前記ＣＰＵ１７１で実行することにより各種の処理を実行する。前記ＲＡＭ１７３は揮発性の記憶手段、前記ＥＥＰＲＯＭ１７４は不揮発性の記憶手段であって、前記ＣＰＵ１７１が実行する各種の処理の一時記憶メモリー及び画像メモリーとして使用される。なお、前記制御部１７は集積回路（ＡＳＩＣ）などの電子回路で構成されたものであってもよい。また、前記メイン制御部１１が前記通信制御部１７の機能を兼ねており、前記通信制御部１７を省略した構成も他の実施形態として考えられる。
具体的に、前記通信制御部１７は、前記インターネット１００を介して接続された通信先端末との間で、予め定められたＴ．３８規格に準拠した通信プロトコルに従って前記ＩＰＦＡＸ通信（第１の通信処理の一例）を実行する。即ち、前記ＭＦＰ１０は、前記ＩＡＦ２０と同様に前記ＩＰＦＡＸ通信を実行するＩＡＦの一形態である。ここに、前記ＩＰＦＡＸ通信を実行するときの前記通信制御部１７が第１の通信制御手段に相当し、前記ＩＰＦＡＸ通信を実行する工程が第１の通信制御ステップに相当する。
また、前記通信制御部１７は、前記電話網２００を介して接続された通信先端末との間で、予め定められたＴ．３０規格に準拠した通信プロトコルに従って前記Ｇ３ＦＡＸ通信（第２の通信処理の一例）を実行する。即ち、前記ＭＦＰ１０は、前記Ｇ３ＦＡＸ４０と同様に前記Ｇ３ＦＡＸ通信を実行するＧ３ＦＡＸの一形態である。ここに、前記Ｇ３ＦＡＸ通信を実行するときの前記通信制御部１７が第２の通信制御手段に相当し、前記Ｇ３ＦＡＸ通信を実行する工程が第２の通信制御ステップに相当する。
【００１８】
前記ＭＦＰ１０では、前記ＳＩＰサーバー３０を介して前記ＩＰＦＡＸ通信を実行するため、前記ＩＰＦＡＸ通信及び前記Ｇ３ＦＡＸ通信のいずれを実行する場合でも、ユーザーは宛先として前記操作表示部１２に電話番号を入力すればよい。
なお、前記ＭＦＰ１０が前記ＳＩＰサーバー３０に接続されていない場合であっても、例えば前記通信制御部１７の前記ＥＥＰＲＯＭ１７４に、通信先端末の電話番号（ＦＡＸ番号）及びＩＰアドレスが登録されたアドレス帳が記憶されていることも考えられる。この場合、前記通信制御部１７は、前記Ｇ３ＦＡＸ通信を実行する場合には前記操作表示部１２に入力された電話番号に前記電話網２００を介してダイヤルする。一方、前記ＩＰＦＡＸ通信を実行する場合、前記通信制御部１７は、前記操作表示部１２に入力された電話番号に対応するＩＰアドレスを前記アドレス帳から読み出し、そのＩＰアドレスを宛先として前記インターネット１００を介して通信開始要求を送信する。
【００１９】
ところで、前記ＭＦＰ１０では、前記操作表示部１２に対する通信先端末の宛先入力後、前記ＩＰＦＡＸ通信又は前記Ｇ３ＦＡＸ通信を開始する際に、状況に応じて他方の前記Ｇ３ＦＡＸ通信又は前記ＩＰＦＡＸ通信に切り替わることがある。
例えば、前記ＩＰＦＡＸ通信が開始される際、前記通信制御部１７は、前記操作表示部１２により宛先の電話番号が入力されて開始操作が行われると、前記電話番号を宛先の情報として前記ＳＩＰサーバー３０に通知する。このとき、前記ＳＩＰサーバー３０によって前記電話番号に対応する通信先端末のＩＰアドレスが取得されない場合、前記通信先端末が前記ＩＰＦＡＸ通信を実行することができない状態である場合、及び前記ＭＦＰ１０が前記ＩＰＦＡＸ通信を実行することができない状態である場合などには、前記ＩＰＦＡＸ通信が失敗に終わる。この場合、前記通信制御部１７は、前記電話網２００を介して前記電話番号を宛先とする前記Ｇ３ＦＡＸ通信を開始する。
一方、前記Ｇ３ＦＡＸ通信が開始される際、前記通信制御部１７は、前記操作表示部１２により宛先の電話番号が入力されて開始操作が行われても、前記宛先の通信先端末との間で前記ＩＰＦＡＸ通信が実行可能な場合には前記ＩＰＦＡＸを実行する。
【００２０】
但し、前記Ｇ３ＦＡＸ通信又は前記ＩＰＦＡＸ通信に関する通信条件には、前記Ｇ３ＦＡＸ通信のみに適した条件及び前記ＩＰＦＡＸ通信のみに適した条件が含まれる。そのため、前記ＩＰＦＡＸ通信及び前記Ｇ３ＦＡＸ通信が切り替わる場合に、その切り替え前後の前記通信条件が同じであると、切り替え後の前記Ｇ３ＦＡＸ通信又は前記ＩＰＦＡＸ通信が適切な前記通信条件の下で実行されないおそれがある。
そこで、前記通信制御部１７は、前記ＲＯＭ１７２に記憶された通信プログラムに従った後述の通信条件設定処理（図２参照）を前記ＣＰＵ１７１によって実行することにより、前記通信条件を適宜設定する。なお、前記通信プログラムは、ＣＤ、ＤＶＤ、半導体メモリーなどのコンピューター読み取り可能な記録媒体に記録されており、前記記録媒体から前記ＥＥＰＲＯＭ１７４又はハードディスク（不図示）等の記憶手段にインストールされるものであってもよい。本発明は、前記通信条件設定処理を前記通信制御部１７に実行させるための前記通信プログラム又は前記通信プログラムが記録されたコンピューター読み取り可能な記録媒体の発明として捉えてもよい。
【００２１】
［通信条件設定処理］
以下、図２のフローチャートを参照しつつ前記ＭＦＰ１０の前記通信制御部１７によって実行される通信条件設定処理の手順の一例について説明する。ここに、前記通信制御部１７によって実行される処理手順をステップＳ１、Ｓ２、・・・と称する。
前記通信条件設定処理は、例えば、前記操作表示部１２に対してファクシミリ通信処理の機能を選択するための操作が行われ、前記操作表示部１２にファクシミリ通信処理に関する操作画面が表示された場合に前記通信制御部１７によって実行される。
【００２２】
＜ステップＳ１＞
まず、ステップＳ１において、前記通信制御部１７は、ユーザーによる前記操作表示部１２に対する宛先の入力を待ち受ける（Ｓ１のＮｏ側）。前記宛先の入力は、前記操作表示部１２に対する電話番号の入力操作、又は前記ＥＥＰＲＯＭ１７４に記憶された前記アドレス帳からの選択操作などによって行われる。そして、前記通信制御部１７は、宛先の入力が行われたと判断すると（Ｓ１のＹｅｓ側）、処理をステップＳ２に移行させる。
【００２３】
＜ステップＳ２＞
ステップＳ２において、前記通信制御部１７は、前記ＩＰＦＡＸ通信及び前記Ｇ３ＦＡＸ通信のいずれかを選択し、前記選択された前記ＩＰＦＡＸ通信又は前記Ｇ３ＦＡＸ通信に関する通信条件の事前設定を実行する。
具体的に、前記ＭＦＰ１０では、前記ファクシミリ通信処理を実行する場合に、前記ＩＰＦＡＸ通信及び前記Ｇ３ＦＡＸ通信のいずれを実行するかについての通信方式選択情報の初期値が前記ＲＯＭ１７２又は前記ＥＥＰＲＯＭ１７１に予め記憶されている。ここでは、前記通信方式選択情報の初期値が前記ＩＰＦＡＸ通信である場合を例に挙げて説明する。従って、前記通信制御部１７により前記ＩＰＦＡＸ通信が選択される。なお、このとき前記通信制御部１７は、前記ＭＦＰ１０の現在の状態において前記通信方式選択情報の適用が可能であるか否かを判断する。例えば、前記通信方式選択情報の初期値が前記ＩＰＦＡＸ通信である場合、前記ＭＦＰ１０が前記インターネット１００を介して通信可能な状態であるか否かを判断し、通信可能である場合にその選択を適用する。一方、前記通信制御部１７は、前記ＭＦＰ１０が前記インターネット１００を介して通信できない状態であれば、前記Ｇ３ＦＡＸ通信を選択する。
また、前記ＭＦＰ１０では、前記ＩＰＦＡＸ通信及び前記Ｇ３ＦＡＸ通信に関する通信条件の初期値が前記ＲＯＭ１７２又は前記ＥＥＰＲＯＭ１７４に記憶されている。そして、前記通信制御部１７は、前記ＲＯＭ１７２又は前記ＥＥＰＲＯＭ１７４から前記通信条件の初期値を読み出し、今回のファクシミリ通信処理の通信条件として適用する。
【００２４】
＜ステップＳ３＞
その後、ステップＳ３において、前記通信制御部１７は、前記ＩＰＦＡＸ通信及び前記Ｇ３ＦＡＸ通信のうち前記ステップＳ２で予め選択された通信処理の実行に際し、ユーザーにより行われる前記操作表示部１２への操作入力に応じて前記通信条件を設定する。ここでは、前記ＩＰＦＡＸ通信が選択されているため、前記ＩＰＦＡＸ通信について前記通信条件が設定される。ここに、前記ステップＳ３が第１の設定ステップに相当し、前記ステップＳ３を実行するときの前記通信制御部１７が第１の設定手段に相当する。なお、前記ステップＳ３では、前記ステップＳ２で予め選択された前記ＩＰＦＡＸ通信を前記Ｇ３ＦＡＸ通信に変更することも可能である。
【００２５】
＜ステップＳ４＞
次に、ステップＳ４において、前記通信制御部１７は、ユーザーによる前記ＩＰＦＡＸ通信又は前記Ｇ３ＦＡＸ通信の開始要求操作を待ち受ける（Ｓ４のＮｏ側）。具体的に、前記通信制御部１７は、前記操作表示部１２に設けられたスタートキーが押下された場合に、前記ＩＰＦＡＸ通信又は前記Ｇ３ＦＡＸ通信の開始要求操作が行われたと判断し（Ｓ４のＹｅｓ側）、処理をステップＳ５に移行させる。
【００２６】
＜ステップＳ５＞
ステップＳ５において、前記通信制御部１７は、前記ステップＳ１で入力された宛先との間で前記ＩＰＦＡＸ通信及び前記Ｇ３ＦＡＸ通信のいずれかを開始する。
具体的に、前記通信制御部１７は、前記画像読取部１３により原稿から画像データを読み取り、前記画像データを前記画像メモリー１４に記憶させる。その後、前記通信制御部１７は、前記ＩＰＦＡＸ通信が選択されている場合には前記ＳＩＰサーバー３０に対して前記ステップＳ１で入力された宛先の情報を送信し、前記Ｇ３ＦＡＸ通信が選択されている場合には前記ステップＳ１で入力された宛先に直接ダイヤルする。これにより、前記宛先の通信先端末と接続されると、前記通信制御部１７は前記画像メモリー１４に記憶されている前記画像データを前記通信先端末に送信する。
【００２７】
＜ステップＳ６＞
そして、前記通信制御部１７は、前記ステップＳ５で開始された前記ＩＰＦＡＸ通信又は前記Ｇ３ＦＡＸ通信が成功したか否かを判断する。ここで、前記通信制御部１７は、前記ファクシミリ通信処理が成功したと判断した場合には（Ｓ６のＹｅｓ側）、処理を前記ステップＳ１に戻し、前記ファクシミリ通信が失敗したと判断した場合には（Ｓ６のＮｏ側）、処理をステップＳ７に移行させる。
【００２８】
＜ステップＳ７＞
ステップＳ７において、前記通信制御部１７は、前記ＩＰＦＡＸ通信及び前記Ｇ３ＦＡＸ通信のうち前記ステップＳ３における前記通信条件の設定の際に選択されていなかった他方のファクシミリ通信処理に通信方式を切り替える。即ち、前記ステップＳ３において前記ＩＰＦＡＸ通信が選択されていた場合には、前記通信制御部１７は、ファクシミリ通信処理の通信方式を前記Ｇ３ＦＡＸ通信に切り替える。なお、前記ステップＳ３において前記Ｇ３ＦＡＸ通信が選択されていた場合には、前記通信制御部１７はファクシミリ通信処理の通信方式を前記ＩＰＦＡＸ通信に切り替える。
【００２９】
＜ステップＳ８＞
そして、ステップＳ８において、前記通信制御部１７は、前記ステップＳ７で変更された後の前記ＩＰＦＡＸ通信又は前記Ｇ３ＦＡＸ通信に応じて、前記ステップＳ３で設定された前記通信条件の内容の一部を自動的に変更する通信条件変更処理を実行する。
具体的に、前記通信制御部１７は、前記ＩＰＦＡＸ通信及び前記Ｇ３ＦＡＸ通信ごとに対応する予め設定された既定条件を示す通信条件設定情報に従って前記通信条件の内容を設定する。これにより、後述のステップＳ９で開始される前記Ｇ３ＦＡＸ通信における前記通信条件が前記通信条件設定情報に従って前記Ｇ３ＦＡＸに適した条件に設定される。ここに、前記ステップＳ８が第２の設定ステップに相当し、前記ステップＳ８を実行するときの前記通信制御部１７が第２の設定手段に相当する。
【００３０】
ここに、図３は、前記通信条件設定情報の一例を示す図である。
図３に示すように、前記通信条件設定情報には、予め設定された前記通信条件の項目について前記ＩＰＦＡＸ通信及び前記Ｇ３ＦＡＸ通信に適した条件が示されている。具体的に、図３に示す例では、前記通信条件として、Ｖ．３４通信機能、ＥＣＭ機能、自社間通信機能、解像度の各項目について前記ＩＰＦＡＸ通信及び前記Ｇ３ＦＡＸ通信ごとに対応する既定条件が定められている。
【００３１】
前記Ｖ．３４通信機能は、前記電話網２００を介して全二重通信を可能とする全二重モデムのＶ．３４規格に従って最大３３．６ｋｂｐｓの通信速度を実現する機能である。前記ＩＰＦＡＸ通信は前記インターネット１００を介して行われるものであり、前記Ｖ．３４規格に対応していないことがある。そのため、前記通信条件設定情報において、前記ＩＰＦＡＸ通信に対応する前記既定条件では前記Ｖ．３４通信機能がＯＦＦ、前記Ｇ３ＦＡＸ通信に対応する前記既定条件では前記Ｖ．３４通信機能がＯＮに定められている。
【００３２】
また、前記ＥＣＭ機能は、ファクシミリ送信処理において通信先端末にデータが正しく送信されたか否かをチェックしながらデータ送信を実行するエラー訂正機能である。一方、前記ＩＰＦＡＸ通信では、前記エラー訂正機能を有するＴＣＰに従った通信処理が前記ＮＩＣ１６１によって実行される。そのため、前記通信条件設定情報において、前記ＩＰＦＡＸ通信に対応する前記既定条件では前記ＥＣＭ機能がＯＦＦ、前記Ｇ３ＦＡＸ通信に対応する前記既定条件では前記ＥＣＭ機能がＯＮに定められている。
【００３３】
さらに、前記自社間通信機能は、例えば同じメーカーのＧ３ＦＡＸが通信先端末である場合には、送信端末のダイヤル番号などを示す送信端末識別情報ＴＳＩに代えて、送信端末名称を示す非標準機能信号ＮＳＳをその通信先端末に通知する機能である。前記自社間通信機能は、前記Ｇ３ＦＡＸ通信では有効であるが、前記ＩＰＦＡＸ通信では有効性が保証されていない。そのため、前記通信条件設定情報において、前記ＩＰＦＡＸ通信に対応する前記既定条件では前記自社間通信機能がＯＦＦ、前記Ｇ３ＦＡＸ通信に対応する前記既定条件では前記自社間通信機能がＯＮに定められている。
【００３４】
また、前記ＩＰＦＡＸ通信では高速通信が行われるため、短時間で多量のデータ送信を行うことが可能であるが、前記Ｇ３ＦＡＸ通信では低速通信が行われるため、前記Ｇ３ＦＡＸ通信により大きなデータを送信すると時間が要すると共に通信費も増大する。そのため、前記通信条件設定情報において、前記Ｇ３ＦＡＸ通信に対応する前記既定条件では、前記解像度が予め設定された低解像度（例えば、２００ｄｐｉ）に定められている。なお、前記ＩＰＦＡＸ通信のときは特に制限する必要がないため、前記通信条件設定情報では定められておらず初期設定又はユーザー設定の値が適用される。これにより、前記Ｇ３ＦＡＸ通信が実行される場合は、前記通信制御部１７により前記画像データの解像度が前記低解像度に変換され、前記電話網２００を介した通信時間が短縮される。
【００３５】
そして、前記通信制御部１７は、前記ステップＳ２及びＳ３において既に設定されていた前記通信条件を前記通信条件設定情報に基づいて必要に応じて変更する。
ここに、図４及び図５は、前記ステップＳ８で実行される前記通信条件変更処理の一例を示すフローチャートであって、図４は前記Ｇ３ＦＡＸ通信が選択された場合、図５は前記ＩＰＦＡＸ通信が選択された場合を示している。
【００３６】
＜Ｇ３ＦＡＸ通信が選択された場合＞
まず、図４を参照しつつ、前記ステップＳ８において通信方式が前記Ｇ３ＦＡＸ通信に変更された場合について説明する。
ステップＳ８１において、前記通信制御部１７は、前記Ｖ．３４通信機能がＯＦＦであるか否かを判断する。ここで、前記Ｖ．３４通信機能がＯＦＦであれば（Ｓ８１のＹｅｓ側）、前記通信制御部１７は、前記通信条件設定情報に基づいて前記Ｖ．３４通信機能の設定をＯＮにして処理をステップＳ８２に移行させる。
次に、ステップＳ８２において、前記通信制御部１７は、前記ＥＣＭ機能がＯＦＦであるか否かを判断する。ここで、前記ＥＣＭ機能がＯＦＦであれば（Ｓ８２のＹｅｓ側）、前記通信制御部１７は、前記通信条件設定情報に基づいて前記ＥＣＭ機能の設定をＯＮにして処理をステップＳ８３に移行させる。
同様に、ステップＳ８３において、前記通信制御部１７は、前記自社間通信機能がＯＦＦであるか否かを判断する。ここで、前記自社間通信機能がＯＦＦであれば（Ｓ８３のＹｅｓ側）、前記通信制御部１７は、前記通信条件設定情報に基づいて前記自社間通信機能の設定をＯＮにして処理をステップＳ８４に移行させる。
続いて、ステップＳ８４において、前記通信制御部１７は、前記解像度が２００ｄｐｉであるか否かを判断する。ここで、前記解像度が２００ｄｐｉでなければ（Ｓ８４のＮｏ側）、前記通信制御部１７は、前記通信条件設定情報に基づいて前記解像度の設定を２００ｄｐｉにして当該通信条件変更処理を終了する。
【００３７】
＜ＩＰＦＡＸ通信が選択された場合＞
まず、ステップＳ８５において、前記通信制御部１７は、前記Ｖ．３４通信機能がＯＮであるか否かを判断する。ここで、前記Ｖ．３４通信機能がＯＮであれば（Ｓ８５のＹｅｓ側）、前記通信制御部１７は、前記通信条件設定情報に基づいて前記Ｖ．３４通信機能の設定をＯＦＦにして処理をステップＳ８６に移行させる。
次に、ステップＳ８６において、前記通信制御部１７は、前記ＥＣＭ機能がＯＮであるか否かを判断する。ここで、前記ＥＣＭ機能がＯＮであれば（Ｓ８６のＹｅｓ側）、前記通信制御部１７は、前記通信条件設定情報に基づいて前記ＥＣＭ機能の設定をＯＦＦにして処理をステップＳ８７に移行させる。
同様に、ステップＳ８７において、前記通信制御部１７は、前記自社間通信機能がＯＮであるか否かを判断する。ここで、前記自社間通信機能がＯＮであれば（Ｓ８７のＹｅｓ側）、前記通信制御部１７は、前記通信条件設定情報に基づいて前記自社間通信機能の設定をＯＦＦにして当該通信条件変更処理を終了する。
【００３８】
＜ステップＳ９＞
そして、前記通信条件が変更されると、前記ステップＳ９において、前記通信制御部１７は、前記ステップＳ７による変更後の前記ＩＰＦＡＸ通信又は前記Ｇ３ＦＡＸ通信を前記ステップＳ８で設定された前記通信条件に従って実行する。即ち、前記通信制御部１７は、前記ＩＰＦＡＸ通信及び前記Ｇ３ＦＡＸ通信のいずれか一方の通信処理が正常に完了しなかった場合に、他方の通信処理を実行させる。ここでは、前記ＩＰＦＡＸ通信が失敗した場合であるため前記ステップＳ９では前記Ｇ３ＦＡＸ通信を実行することになる。なお、前記Ｇ３ＦＡＸ通信が失敗した場合には前記ステップＳ９では前記ＩＰＦＡＸ通信を実行することになる。ここに、前記ステップＳ９の処理を実行するときの前記通信制御部１７が再接続手段に相当する。
また、前記ステップＳ９における前記ＩＰＦＡＸ通信又は前記Ｇ３ＦＡＸ通信の実行時に、同一時刻及び同一宛先のファクシミリ通信の予約送信が登録されている場合には、前記予約送信の内容も含めて一括送信が行われる。これにより、前記予約送信については前記ステップＳ９の通信処理のみが実行され、前記予約送信について前記ステップＳ５が無駄に実行されることが防止される。
【００３９】
＜ステップＳ１０＞
その後、ステップＳ１０において、前記通信制御部１７は、前記ステップＳ９で実行した前記ＩＰＦＡＸ通信又は前記Ｇ３ＦＡＸ通信の通信結果を示す通信レポートを前記画像形成部３により印字出力する。
このとき、前記通信レポートには、前記ステップＳ７による前記通信方式の変更、前記ステップＳ８による前記通信条件の変更に関する情報が含まれる。これにより、ユーザーに、前記通信レポートを参照することにより、今回のファクシミリ送信処理が当初の設定とは異なる設定内容で行われたことを認識させることができる。なお、前記ステップＳ９で実行した前記ＩＰＦＡＸ通信又は前記Ｇ３ＦＡＸ通信が失敗した場合には、前記ＩＰＦＡＸ通信及び前記Ｇ３ＦＡＸ通信の両方が失敗した旨が記録された前記通信レポートが出力される。
【００４０】
以上、説明したように、前記ＭＦＰ１０では、前記ＩＰＦＡＸ通信及び前記Ｇ３ＦＡＸ通信のうち予め選択された一方の通信処理の実行に際し、前記操作表示部１２への操作入力に応じて前記通信処理に関する通信条件が設定される。そして、その後に前記ＩＰＦＡＸ通信及び前記Ｇ３ＦＡＸ通信のうち前記通信条件の設定の際に選択されていなかった他方の通信処理の実行に際して、前記ＩＰＦＡＸ通信及び前記Ｇ３ＦＡＸ通信ごとに対応する前記既定条件に従って前記通信条件が設定される。従って、前記インターネット１００を介した前記ＩＰＦＡＸ通信と前記電話網２００を介した前記Ｇ３ＦＡＸ通信とが切り替えて実行される場合にその切り替え後の通信処理に適した前記通信条件を適用することができる。これにより、例えば前記ＩＰＦＡＸ通信及び前記Ｇ３ＦＡＸ通信各々において通信品質を向上させること、通信エラーの発生を防止すること、及び通信費用を抑制すること等の効果が得られる。
また、本実施の形態では、前記ＭＦＰ１０が、前記ＩＰＦＡＸ通信及び前記Ｇ３ＦＡＸ通信のいずれか一方が失敗した場合に他方を実行する機能を備えた場合を例に挙げて説明したがこれに限らない。例えば、前記ＭＦＰ１０が、前記ＩＰＦＡＸ通信が失敗した場合に前記Ｇ３ＦＡＸ通信を実行する機能のみを備えることも他の実施形態として考えられる。
さらに、本実施の形態では、前記Ｇ３ＦＡＸ通信及び前記ＩＰＦＡＸ通信を実行することのできるファクシミリ機能を有する前記ＭＦＰ１０を本発明に係る通信装置の一例として説明したが、前記通信装置はこれに限らない。例えば、電話網を介してユーザー間の通話を実現する第１の音声通信処理と、パケット網を介してユーザー間の通話を実現するＶｏＩＰに従った第２の音声通信処理とを実行することのできる電話機能を有するＩＰ電話機も前記通信装置の一例である。
【符号の説明】
【００４１】
１  ：通信システム
１０：ＭＦＰ（通信装置の一例）
１１：メイン制御部
１２：操作表示部
１３：画像読取部
１４：画像メモリー
１５：画像形成部
１６１：ＮＩＣ
１６２：ＰＳＴＮモデム
１７：通信制御部
１７１：ＣＰＵ
１７２：ＲＯＭ
１７３：ＲＡＭ
１７４：ＥＥＰＲＯＭ
２０：ＩＡＦ
３０：ＳＩＰサーバー
４０：Ｇ３ＦＡＸ
１００：インターネット（パケット網の一例）
２００：電話網
Ｓ１、Ｓ２、・・・：処理手順（ステップ）番号
【図１】
2014090335.tif 000003
【図２】
2014090335.tif 000004
【図３】
2014090335.tif 000005
【図４】
2014090335.tif 000006
【図５】
2014090335.tif 000007